(57)【要約】【課題】  隔壁を挟んで熱媒と熱交換対象の上水とを熱的に接触させる構造の熱交換器を用いて噴出対象の温水生成を行う温水噴出装置において、熱交換器内部の隔壁の孔明発生に起因して上水側への熱媒の漏れを確実に検知し得る温水噴出装置を提供する。【解決手段】  熱交換器３の隔壁を挟んで熱源側に熱媒を熱源機２から循環供給する一方、被加熱側に水道の上水を供給する。熱交換器３で加熱された温水を噴霧ノズル４から噴出させる噴出運転後、元開閉弁５１を閉に排水弁８１を開にして元開閉弁から下流側の経路内の残留水を排水した上で、温水開閉弁６２及び排水弁を共に閉にして熱交換器の上水側を密閉空間にする。噴出運転停止後なら１２Ｈ、それ以後は２４Ｈ経過毎に排水弁を開にして電極９が通電状態になるか否かを見て熱媒の上水側への漏水発生の有無を判定する。【選択図】      図１
2008185251.tif 000002
【特許請求の範囲】
【請求項１】
熱源として循環供給される熱媒と隔壁を挟んで熱的に接触させることにより被加熱対象を熱交換加熱する熱交換器と、この熱交換器に対し被加熱対象として水を給水する水供給路と、上記熱交換器により加熱された温水を温水噴出部に供給する温水供給路と、この温水供給路の途中から分岐して温水供給路内の残留水を外部に排水する排水路と、上記水供給路に介装された元開閉弁と、上記温水供給路に介装された温水開閉弁と、上記排水路に介装された排水弁と、上記温水噴出部から温水を噴出させる温水噴出運転制御手段とを備えている温水噴出装置であって、
上記排水弁の下流側位置の排水路内における液体の流れの有無を検知する液体検知手段と、この液体検知手段からの検知信号に基づいて上記熱交換器内における隔壁の孔明に起因する被加熱対象側への熱媒の漏れが発生しているか否かの漏れ判定を実行する漏れ判定処理手段とを備え、
上記温水噴出運転制御手段は、上記排水弁を閉じた状態で元開閉弁及び温水開閉弁を開くことにより上記熱交換器で熱交換加熱された温水を温水噴出部から噴出開始させる一方、上記元開閉弁を閉じることによりその噴出を停止させ排水弁を開くことにより元開閉弁から温水噴出部までの経路内の温水を排出した上で上記排水弁及び温水開閉弁を共に閉じることにより温水噴出運転を終了させるように構成され、
上記漏れ判定処理手段は、上記温水噴出運転制御手段により温水噴出運転が終了されてから第１設定時間の経過後に排水弁を一時的に開作動させることにより上記漏れ判定を実行するように構成されている
ことを特徴とする温水噴出装置。
【請求項２】
請求項１に記載の温水噴出装置であって、
上記漏れ判定処理手段は、漏れ判定を第１設定時間の経過時に実行した後、この第１設定時間よりも長く設定した第２設定時間の経過毎に定期的に排水弁の開作動を繰り返して漏れ判定を定期的に実行するように構成されている、温水噴出装置。
【請求項３】
請求項１又は請求項２に記載の温水噴出装置であって、
上記漏れ判定処理手段は、漏れ判定の実行により熱媒の漏水が発生していると判定したとき、報知手段によりユーザに対し漏水が発生している旨の報知を行い、排水弁を開状態のままに維持するように構成されている、温水噴出装置。
【請求項４】
請求項１〜請求項３のいずれかに記載の温水噴出装置であって、
液体検知手段は、排水路内の流路近傍に先端部を露出させて配設された電極により構成されている、温水噴出装置。
【発明の詳細な説明】
【技術分野】
【０００１】
本発明は、水道水等の上水を熱交換器において熱媒と熱交換させて温水にし、この温水を温水噴出部に供給して噴出させるようにした温水噴出装置に関し、特に熱交換器として隔壁を介して熱媒と被加熱対象とが熱的に接触して熱交換される構造のものを用いている場合にその隔壁に孔明が生じたことに起因する漏水が発生したか否かの漏れ判定を行うための技術に係る。
【背景技術】
【０００２】
従来、コージェネレーションシステムの液−液熱交換器に熱媒を供給するために熱媒貯留タンクとの間で熱媒を循環供給するようにしたものにおいて、熱媒貯留タンク内の貯留量の増加如何によって液−液熱交換器での漏れ異常の発生を判定するようにしたものが提案されている（例えば特許文献１又は特許文献２参照）。このものは、熱媒循環経路側の方が加熱対象の湯水よりも低圧に設定されているため、液−液熱交換器で高圧側の湯水が熱媒側に漏水することになり、この結果、熱媒貯留タンクの熱媒貯留量が異常増加することに着目したものである。
【０００３】
又、冷媒と水とを熱交換するための熱交換器を備えたヒートポンプ給湯機において、熱交換器からの水漏れを検知するために、その熱交換器の外部を覆う容器を設けることも提案されている（例えば特許文献３参照）。このものでは、熱交換器内での漏れ混入ではなくて、熱交換器外に漏れるという水漏れを対象にして、上記容器下面に溜まった水を検知することにより水漏れ発生と判定するようにしている。
【０００４】
【特許文献１】特開２００４−２５１５９１号公報
【特許文献１】特開２００４−２５１５９２号公報
【特許文献１】特開２００１−２４１７６３号公報
【発明の開示】
【発明が解決しようとする課題】
【０００５】
ところで、熱媒により熱交換加熱する対象が水道水等の上水であって、背圧として水道水の供給圧が作用している場合には、熱媒側よりも水側の方が高圧になるため、熱交換器内の熱媒と水とを隔てる隔壁に孔明が生じたとしても、水が熱媒側に漏水して混入が生じるものの、上水側への熱媒の混入は生じない。
【０００６】
ところが、水道水の供給側が断水したり、高層の集合住宅で停電が発生したりすると、水側の方が低圧となってしまうため、上記の孔明の発生により上水側へ熱媒が漏れだし熱媒の混入が生じるおそれが考えられる。さらに、熱交換による上水の加熱運転が停止状態では隔壁を挟んで上水側が排水されて密閉空間に維持される場合であっても、隔壁に孔明が発生すると、時間の経過に伴い徐々に熱媒と置換されて熱媒の微小漏れが発生するおそれが考えられる。
【０００７】
一方、隔壁を介して熱媒と被加熱対象の水とを熱的に接触させて熱交換させるものとして、例えば、伝熱プレート（隔壁）を多数枚層状に重ね合わせて伝熱プレート間に流路を形成し伝熱プレートを挟んで一側流路に熱媒を他側流路に熱交換対象の水を流すという構造のプレート式熱交換器が知られているが、このような伝熱プレートを隔壁とする構造のものでは隔壁に微小な孔明が生じたとしても、その孔明発生自体や、それに起因する微小漏れを外部から把握することは不可能となる。又、隔壁を挟んで熱的に接触させて熱交換させるものとして、いわゆる液−液熱交換器も知られているが、この液−液熱交換器においても隔壁の微小な孔明発生や微小漏れを外部から把握することは不可能に近い。
【０００８】
本発明は、このような事情に鑑みてなされたものであり、その目的とするところは、隔壁を挟んで熱媒と熱交換対象の上水とを熱的に接触させる構造の熱交換器を用いて噴出対象の温水生成を行う温水噴出装置において、熱交換器内部の隔壁の孔明発生に起因して上水側への熱媒の漏れを確実に検知し得る温水噴出装置を提供することにある。
【課題を解決するための手段】
【０００９】
上記目的を達成するために、本発明では、熱源として循環供給される熱媒と隔壁を挟んで熱的に接触させることにより被加熱対象を熱交換加熱する熱交換器と、この熱交換器に対し被加熱対象として水を給水する水供給路と、上記熱交換器により加熱された温水を温水噴出部に供給する温水供給路と、この温水供給路の途中から分岐して温水供給路内の残留水を外部に排水する排水路と、上記水供給路に介装された元開閉弁と、上記温水供給路に介装された温水開閉弁と、上記排水路に介装された排水弁と、上記温水噴出部から温水を噴出させる温水噴出運転制御手段とを備えている温水噴出装置を対象にして、次の特定事項を備えることとした。すなわち、上記排水弁の下流側位置の排水路内における液体の流れの有無を検知する液体検知手段と、この液体検知手段からの検知信号に基づいて上記熱交換器内における隔壁の孔明に起因する被加熱対象側への熱媒の漏れが発生しているか否かの漏れ判定を実行する漏れ判定処理手段とを備えるようにする。そして、上記温水噴出運転制御手段として、上記排水弁を閉じた状態で元開閉弁及び温水開閉弁を開くことにより上記熱交換器で熱交換加熱された温水を温水噴出部から噴出開始させる一方、上記元開閉弁を閉じることによりその噴出を停止させ排水弁を開くことにより元開閉弁から温水噴出部までの経路内の温水を排出した上で上記排水弁及び温水開閉弁を共に閉じることにより温水噴出運転を終了させる構成とし、上記漏れ判定処理手段として、上記温水噴出運転制御手段により温水噴出運転が終了されてから第１設定時間の経過後に排水弁を一時的に開作動させることにより上記漏れ判定を実行する構成とした（請求項１）。
【００１０】
本発明の場合、温水噴出運転が終了されて元開閉弁、温水開閉弁及び排水弁が共に閉作動されて熱交換器の上水側の経路内が密閉空間に維持されたとしても、熱交換器内の隔壁に孔明が生じると、熱媒が徐々に置換されて熱媒の上水側への微小漏れが進行することになる。そして、第１設定時間が経過して排水弁が開作動されると、それまでに蓄積した漏水が開状態の排水弁から液体検知手段に流れるため、熱媒の上水側への漏水が発生していれば、この液体検知手段により液体の流れがあると検知されて、漏水発生と判定することが可能になる。
【００１１】
本発明における漏れ判定処理手段としては、上記の漏れ判定を第１設定時間の経過時に実行した後、この第１設定時間よりも長く設定した第２設定時間の経過毎に定期的に排水弁の開作動を繰り返して漏れ判定を定期的に実行する構成にすることができる（請求項２）。このようにすることにより、実情に即して漏れ判定を行い得ると共に、漏れ判定の経済上の効率化をも図り得る。すなわち、温水噴出運転直後は熱媒側の温度が高くて内圧も上がっているため、隔壁に孔明が発生していれば熱媒の漏水度合もそれに応じて大きくなる一方、それよりも後に熱媒側の温度が低下していれば、隔壁に孔明が発生していても熱媒の漏水は微小量に止まることになる。このため、第１設定時間を上記の漏水度合に応じて設定しつつ、第２設定時間を第１設定時間よりも長く設定することで、上記の実情に即した漏れ判定と、経済上の効率化とが図り得る。
【００１２】
又、上記漏れ判定処理手段として、漏れ判定の実行により熱媒の漏水が発生していると判定したとき、報知手段によりユーザに対し漏水が発生している旨の報知を行い、排水弁を開状態のままに維持する構成にすることもできる（請求項３）。このようにすることにより、ユーザに対し漏水発生時の対処を促し得ると共に、漏水発生との判定後に生じる漏水を内部経路に残留させることなく、開状態に維持した排水弁を通して外部に排出させることが可能になる。
【００１３】
さらに、以上の温水噴出装置における液体検知手段として、排水路内の流路近傍に先端部を露出させて配設された電極により構成することができる（請求項４）。このようにすることにより、簡易な構成の液体検知手段により装置を構成する上でのコスト軽減化を図り得る一方、簡易な構成であっても液体の流れの有無を効果的に検知することが可能になる。
【発明の効果】
【００１４】
以上、説明したように、請求項１〜請求項４のいずれかの温水噴出装置によれば、温水噴出運転が終了されて元開閉弁、温水開閉弁及び排水弁が共に閉作動されて熱交換器の上水側の経路内が密閉空間に維持されたとしても、熱交換器内の隔壁に孔明が生じて、熱媒の上水側への漏水が発生していれば、液体検知手段により液体の流れがあると検知されて、漏水発生を確実に判定・検知することができるようになる。
【００１５】
特に、請求項２によれば、温水噴出運転の終了直後とそれ以降とによって熱交換器の熱媒側の温度（内圧）の程度が異なり漏水の程度も異なることに着目して漏れ判定を実行するタイミングを異ならせることにより、実情に即した漏れ判定を行うことができると共に、漏れ判定を繰り返し実行する上での経済上の効率化をも図ることができるようになる。
【００１６】
又、請求項３によれば、報知手段による警告報知によりユーザに対し漏水発生時の対処を促すことができる一方、漏水発生との判定後に生じる漏水を内部経路に残留させることなく、開状態に維持した排水弁を通して外部に排出させることができるようになる。
【００１７】
さらに、請求項４によれば、電極を用いて簡易に構成した液体検知手段を用いることで装置を構成する上でのコスト軽減化を図ることができる一方、簡易な構成であっても液体の流れの有無を効果的に検知することができるようになる。
【発明を実施するための最良の形態】
【００１８】
以下、本発明の実施形態を図面に基づいて説明する。
【００１９】
図１は、本発明の実施形態に係る温水噴出装置を示す。この温水噴出装置は、熱源機２からの熱媒を利用して熱交換器３において上水を熱交換加熱し、加熱した温水を温水噴出部としての噴霧ノズル４から噴出することにより浴室空間Ｒに対し暖かいミストにして噴霧させるようになっている。かかる温水噴出装置は、上記の熱交換器３と、この熱交換器３の被加熱水入口３１に対し上水を給水する水供給路５と、熱交換器３の被加熱水出口３２から噴霧ノズル４まで延ばされて熱交換器３で加熱された後の温水を噴霧ノズル４まで供給する温水供給路６と、温水供給路６の途中から分岐されて外部の排水口７まで延ばされた排水路８とを備えたものである。
【００２０】
上記熱源機２は温水循環式暖房機能を備えた温水循環式暖房用熱源機を利用したものであり、種々の暖房端末（図示省略）との間に配管された温水循環経路内の温水又は不凍液等の熱媒を加熱して外部の暖房端末に対し加熱後の熱媒を熱源として循環供給させるものである。そして、暖房端末の一種として上記熱交換器３に対し熱源として熱媒を循環供給するように循環路２０が配管されている。すなわち、熱源機２の供給口２１から熱交換器３の熱源側入口３３まで延ばされて熱源機２で加熱した高温の熱媒を熱交換器３に供給する熱媒往き路２２と、熱交換器３の熱源側出口３４から熱源機２の戻り口２３まで延ばされて熱交換器３で放熱された低温となった熱媒を熱源機２に戻す熱媒戻り路２４とからなる循環路２０が配管されている。上記熱媒往き路２２には熱媒制御弁２５が介装され、この熱媒制御弁２５を開作動させることにより高温の熱媒が熱源機２から熱交換器３に循環供給され、閉作動させることにより熱媒の循環供給が停止されるようになっている。なお、かかる熱源機２としては、温水循環式の暖房専用の熱源機に限らず、温水循環式暖房機能に加えて給湯機能又はふろの追焚加熱機能等の２以上の組み合わせを併有するように構成された複合熱源器を用いるようにしてもよいし、温水噴出装置のためだけに熱媒を循環供給するように専用に構成された熱源機を用いるようにしてもよい。
【００２１】
上記熱交換器３は、熱源機２から熱源として循環供給される熱媒と、水供給路５を通して供給される上水とが図示省略の隔壁を挟んで熱的に接触されて熱交換させる構造を備えたものである。このような構造のものとして具体的にはプレート式熱交換器が用いられる。このプレート式熱交換器は、隔壁となる伝熱プレートを多数枚層状に重ね合わせて相対向する伝熱プレート間に流路を形成したものであり、ある伝熱プレートを挟んで一側流路には熱媒を、他側流路に被加熱対象の水をそれぞれ流すようになっている。従って、伝熱プレートに孔明が生じると、熱媒側と水側とが連通してしまい、高圧側から低圧側に漏れ発生のおそれが生じることになる。
【００２２】
上記噴霧ノズル４は浴室空間Ｒに臨んで配設され、先端に多数の微小な噴霧孔が貫通形成されたものである。そして、温水供給路６からの温水が水道供給圧に基づき噴霧ノズル４から噴出されると浴室空間Ｒ内にはミストになって噴霧されるようになっている。これにより、浴室空間Ｒでサウナ感が得られるようにしている。
【００２３】
上記水供給路５は、その上流端に戸建て住宅等であれば水道本管からの水道配管あるいは集合住宅であれば水道の貯水塔からの水道配管が接続され、これら水道配管から上水の入水を受けて熱交換器３まで給水するようになっている。熱交換器３までの途中位置の水供給路５には元開閉弁５１が介装されており、元開閉弁５１を開作動させることにより水道の供給圧に基づき熱交換器３の側に上水が供給可能となり、逆に、閉作動させることにより上水の供給が停止されて上記の供給圧の伝搬も遮断されるようになっている。
【００２４】
又、上記排水路８への分岐である分岐部６０よりも熱交換器３側位置の温水器供給路６には熱交換器３で加熱された温水の温度を検出するための温度センサ（サーミスタ）６１が配設され、上記分岐部６０よりも噴霧ノズル４側位置の温水供給路６には温水開閉弁６２が介装されている。この温水開閉弁６２及び元開閉弁５１が共に開作動されると熱交換器３で加熱された温水が噴霧ノズル４まで供給された後、水道配管側の水道供給圧に基づき噴出されることになり、少なくとも温水開閉弁６２が閉作動されるとその温水供給が遮断されて温水噴出も停止されることになる。
【００２５】
さらに、排水路８には、排水弁８１が介装されると共に、この排水弁８１の下流側位置、好ましくは下流側の直近位置に液体検知手段としての電極９が配設されている。この電極９はその先端部が排水路８内に臨む位置、好ましくは少量であっても排水口７に向けて水が伝い流れることになる排水路８の内壁面近傍位置に配設され、水と接触することにより微小電流が流れ、この通電により水の流れの有ることを検知するようになっている。
【００２６】
以上の温水噴出装置はコントローラ１０により作動制御されるようになっている。このコントローラ１０は、例えば無線式又は有線式の報知手段としてのリモコン１００からの入力指令や、温度センサ６１等からの検出情報に基づいて、熱源機２もしくは熱媒制御弁２５、あるいは各種開閉弁５１，６２，８１に対し作動制御信号を送出するなどして、浴室空間Ｒに対するミスト噴霧運転、すなわち、温水噴出運転を制御する温水噴出制御手段１０１と、熱交換器３における隔壁の孔明に起因する上水側への熱媒の漏れ発生の有無を自動判定処理する漏れ判定処理手段１０２とを備えている。この漏れ判定処理手段１０２は、熱媒の漏れ発生有りと判定したとき、上記リモコン１００を用いてユーザに対し所定の警報処理を実行するようになっている。
【００２７】
上記温水噴出制御手段１０１による制御を簡単に説明する。まず、リモコン１００により温水噴出運転の開始用の運転スイッチがＯＮ操作されると、熱媒制御弁２５を開作動させる制御信号を出力して熱交換器３に対する熱媒の循環供給を開始させる一方、温水開閉弁６２は閉状態のまま元開閉弁５１と排水弁８１とを開作動させる。これにより、上水が熱交換器３を通過して排水路８から排水されることになる。これは、運転開始直後は上水が所定温度まで昇温されないため、所定温度まで上がりきらない低温状態の温水を噴霧ノズル４に供給することなく排水させるようにするためである。温度センサ６１からの検出情報に基づき熱交換器３を通過した後の温水が所定温度まで加熱・昇温されたことを確認した上で、温水開閉弁６２を開作動する一方、排水弁８１を閉作動させる。これにより、熱交換器３を出た所定温度の温水が噴霧ノズル４から噴出されて浴室空間Ｒに暖かいミストが拡がることになる。そして、例えばリモコン１００の運転スイッチがＯＦＦ操作されれば、温水噴出運転を停止させる制御を行う。すなわち、元開閉弁５１及び熱媒制御弁２５を共に閉作動させ、熱交換器３での熱交換作動と、噴霧ノズル４からの温水噴出を停止させ、次いで排水弁８１を開作動させて排水作動させる。これにより、もと開閉弁５１の下流側から噴霧ノズル４までの水供給路５，熱交換器３の水側流路、温水供給路６及び排水路８内に残留していた上水又は温水が排水口７に排水される。これに経路内の残留水の排水が完了する所定時間が経過するまで排水作動させ、その後に温水開閉弁６２及び排水弁８１を共に閉作動させる。以上で温水噴出制御手段１０１による制御温水噴出運転が終了する。
【００２８】
次に、上記漏れ判定処理手段１０２による漏れ判定処理について、図２のフローチャートを参照しつつ詳述する。この漏れ判定処理手段１０２は数種類のタイマを備え、漏れ判定を上記の温水噴出運転が終了した時点から所定の第１設定時間が経過した時点に実行し、その後の第２設定時間の経過毎の各時点に定期的に漏れ判定を繰り返し実行するようになっている。すなわち、まず、前回の漏れ判定から第２設定時間（例えば２４Ｈ）が経過したか否かを判定し（ステップＳ１）、未経過であればさらに温水噴出運転の停止から第１設定時間（例えば１２Ｈ）が経過したか否かを判定する（ステップＳ１でＮＯ，ステップＳ２）。第１設定時間も未経過であればステップＳ１に戻っていずれかの設定時間の経過まで判定を繰り返す（ステップＳ２でＮＯ）。ステップＳ１で第２設定時間が経過した、又は、ステップＳ２で第１設定時間が経過したのであれば（ステップＳ１又はステップＳ２のいずれかでＹＥＳ）、排水弁８１を開作動させて（ステップＳ３）、電極９に微小電流が流れたか否かの判定を開始する（ステップＳ４）。電極９が通電しなければ（ステップＳ４でＮＯ）、判定開始と同時にタイマスタートさせたタイマ、すなわち、漏水の無いことを確認するために排水弁８１から電極９まで漏水が到達するまでの待機するための最大待機時間（例えば１０ｓｅｃ）を計時するように設定したタイマがタイムアップするまでステップＳ４での通電の有無の判定を繰り返す（ステップＳ５でＮＯ，ステップＳ４）。タイムアップするまで通電が無ければ、漏水発生は無いと判定して排水弁８１を再び閉作動させ（ステップＳ６）、上記タイマをリセットした後（ステップＳ７）、ステップＳ１にリターンする。
【００２９】
一方、ステップＳ４の判定において通電があれば（ステップＳ４でＹＥＳ）、さらに真に漏水発生が有ることを確認・確定させる処理、すなわち、少なくとも０．１ｓｅｃの継続通電が３回以上生じたことを確認して漏水有りと確定させた上で（ステップＳ８でＹＥＳ）、リモコン１００により熱交換器３に孔明が発生したので修理の必要がある旨の警告をユーザに対し行う（ステップＳ９）。この警告としては、リモコン１００の表示部への文字又は記号による表示、リモコン１００の警告ブザーの吹鳴、及び、リモコン１００の音声回路に予め記憶設定した音声案内の再生等のいずれか１又は２以上の組み合わせの実行によって行う。そして、排水弁８１を開状態に維持する。これにより、熱媒の漏水を上水側の経路内に残留させることなく排水口７から外部に排出させることができる。
【００３０】
上記の漏れ判定処理手段１０２の自動判定処理によれば、温水噴出運転が停止状態で経過しているときには、図３に示すように第２設定時間が経過する毎に漏れ判定（同図に「チェック」と表示）を実行し、温水噴出運転が行われた直後だけはその停止から第２設定時間よりも短く設定した第１設定時間が経過した時点で漏れ判定を実行するようになっている。ここで、温水噴出運転が停止されると、熱交換器の被加熱対象側、つまり上水側は、排水により一旦大気圧状態にされた後に元開閉弁５１，温水開閉弁６２及び排水弁８１が共に閉状態にされ、これらに挟まれる温水供給路６等の経路内がほぼ大気圧状態で密閉状態に維持されることになる。その一方、熱交換器３の熱媒側は、熱媒制御弁２５が閉状態に切換えられても熱媒が充満されて熱源機２の循環路２０と連通された状態となる。このような状態で熱媒側と上水側とを仕切る隔壁に孔明が生じると、上水側が密閉空間であっても、時間経過と共に熱媒と徐々に置換されて熱媒が上水側に徐々にしみ出して熱媒の微小漏れが進行することになる。かかる微小漏れが単位時間当たり例えば０．３ｃｃ／ｍｉｎ程度であっても、時間が経過すればかなりの量に蓄積されてしまう。一方、電極９を用いた水の流れの有無検出の場合、確実な検出のためにはある程度の水の蓄積が排水弁８１の上流側になければならない。かかる観点から、上記の第２設定時間としては、熱媒の微小漏れが生じた場合に、それが水の流れとして検出可能な量が蓄積するであろう経過時間を設定するようにしている。例えば微小漏れの量が０．３ｃｃ／ｍｉｎであれば、２４Ｈ（１４４０ｍｉｎ；１４４０＝２４Ｈ×６０ｍｉｎ）で０．４Ｌ程度（４３２ｃｃ；４３２＝０．３×１４４０）蓄積されることになる。従って、第２設定時間として２４Ｈ程度を設定すれば、０．４Ｌの蓄積漏水が排水弁８１の開作動に伴い電極９の側に流さることになり、これにより、電極９による水の流れの有無検出を確実に行い得ることになる。
【００３１】
一方、温水噴出運転終了直後の場合には、熱交換器３の隔壁を挟んで熱媒がまだ高温状態になっており、その分、内圧が上昇している状態となっている。このため、熱交換器３の隔壁に孔明が万一生じた場合には、上記の温水噴出運転が停止状態で経過しているときよりも熱媒の漏水量が多くなると考えられる。このため、第１設定時間は第２設定時間よりも短い時間を設定するようにしている。例えば、微小漏水量ではあっても、この場合には上記の２倍の０．６ｃｃ／ｍｉｎだと想定すると、０．４Ｌ程度の漏水の蓄積量になるまで１２Ｈの経過で至ることになる。このため、第１設定時間として１２Ｈを設定することにより、電極９による水の流れの有無検出を確実に行い得ることになる。
【００３２】
以上により本実施形態の温水噴出装置の場合には、熱交換器３内部の隔壁の孔明発生に起因して上水側への熱媒の漏れが生じても、その熱媒の漏水発生を確実に検知することができるようになる。しかも、その漏水発生を簡易な構成の電極９を用いて容易に検知することができるようになる。なお、電極９を用いて漏水判定を行う漏れ判定処理手段１０２としては、ＣＰＵやメモリを搭載したマイクロコンピュータを用いて構成することもできるし、電気回路を用いた簡易な制御回路によっても構成することができる。例えば、第１又は第２設定時間の経過を監視するタイマ回路と、電極９の通電の有無によってリモコン１０に対する作動信号を切換える回路とを備えて構成すればよい。
【００３３】
＜他の実施形態＞
なお、本発明は以上の記載のみならず、その他種々のものを包含するものである。すなわち、上記実施形態において、噴霧ノズル４の配設場所は浴室空間Ｒに限らず、サウナのみを目的とした室内空間等の他の空間でもよく、又、温水噴出部の構成として噴霧ノズル４以外のものでもよい。
【００３４】
又、上記各実施形態では熱交換器３としてプレート式熱交換器を用いた場合を例に説明したが、これに限らず、液−液熱交換器、例えば容器内に螺旋状に屈曲又は折返し状に折曲させたパイプを配設しパイプ内とパイプ外との容器内との一方に熱媒を流し他方に被加熱対象の上水を流す構造の熱交換器を用いてもよい。この場合にはパイプを構成する壁が孔明発生対象の隔壁となる。
【００３５】
また、漏れ判定処理手段１０２による処理内容としては、熱媒の漏れ発生有りと判定したとき、ユーザに対する所定の警告処理を実行することにより、以後の処理をユーザに委ねるだけではなくて、この警告処理と共に、温水噴出装置の次回の温水噴出運転の実行を強制的に禁止する処理を実行するようにしてもよい。
【００３６】
上記実施形態では液体検知手段として電極９を用いて構成した例を示したが、これに限らず、例えば揺動可能に設置されたフラッパ式の水流スイッチや、流量センサ等を用いて構成してもよい。この場合、漏水の流れを検知し得る漏水蓄積量が電極９の場合と異なるため、その検知可能な漏水蓄積量になるまでの経過時間に対応して第１又は第２設定時間の時間設定を変更すればよい。
【００３７】
更に、温水運転終了時に排水完了したか否かの検出のために電極９を用いるようにすることもできる。つまり、電極９が通電状態から非通電状態に変化すれば、温水供給路６から温水の排水が完了したと判定することもできる。
【図面の簡単な説明】
【００３８】
【図１】本発明の実施形態を示す模式図である。
【図２】漏れ判定処理手段の制御フローを示すフローチャートである。
【図３】漏れ判定を実行するタイミングを説明するタイムチャートである。
【符号の説明】
【００３９】
２        熱源機
３        熱交換器
４        噴霧ノズル（温水噴出部）
５        水供給路
６        温水供給路
８        排水路
９        電極（液体検知手段）
５１      元開閉弁
６２      温水開閉弁
８１      排水弁
１００    リモコン（報知手段）
１０１    温水噴出運転制御手段
１０２    漏れ判定処理手段
【図１】
2008185251.tif 000003
【図２】
2008185251.tif 000004
【図３】
2008185251.tif 000005